【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
加湿システムのための回路コネクタであって、前記加湿システムがベースユニットと加湿チャンバとを含み、前記加湿チャンバが前記ベースユニットと係合可能になるように構成され、前記回路コネクタが、
前記加湿チャンバの出口から加熱および／または加湿されたガスを受け入れるよう前記加湿チャンバの前記出口への流体接続を提供するように構成された入口と、
患者もしくは他の人へまたは前記患者もしくは前記他の人から前記加熱および／または加湿されたガスを導くための導管への流体接続を提供するように構成された出口と、
前記ベースユニットと関連する電気端子への電気的接続を提供するように構成された電気端子と、を含み、
前記回路コネクタが前記加湿チャンバの前記出口への取り外し可能かつ係止可能な接続をもたらすように構成され、それにより前記回路コネクタの前記入口から前記加湿チャンバの前記出口への前記流体接続を提供し、
その結果、前記加湿チャンバが前記ベースユニットと係合され、前記回路コネクタが前記加湿チャンバの前記出口へ接続されるときに、前記回路コネクタがまた前記回路コネクタの前記電気端子から前記ベースユニットと関連する前記電気端子への前記電気的接続を提供する、回路コネクタ。
【請求項２】
加湿システムのための回路コネクタであって、前記加湿システムがベースユニットと加湿チャンバとを含み、前記加湿チャンバが前記ベースユニットと係合可能になるように構成され、前記回路コネクタが、
前記加湿チャンバの出口から加熱および／または加湿されたガスを受け入れるよう前記加湿チャンバの前記出口への流体接続を提供するように構成された入口と、
患者もしくは他の人へまたは前記患者もしくは前記他の人から前記加熱および／または加湿されたガスを導くための導管への流体接続を提供するように構成された出口と、
ベースユニット電気端子への電気的接続を提供するように構成された電気端子と、を含み、
前記電気端子が、前記ベースユニット電気端子と接触するように大きさを決められ、位置づけられ、構成された露出された接触パッドを含む、回路コネクタ。
【請求項３】
前記電気端子が６つの均一に間隔を空けて配された接触パッドを含む、請求項２に記載の回路コネクタ。
【請求項４】
前記６つの均一に間隔を空けて配された接触パッドが、センサワイヤ用の２つの接触パッドと、識別用の２つの接触パッドと、ヒーターワイヤ用の２つの接触パッドとを含む、請求項３に記載の回路コネクタ。
【請求項５】
前記ヒーターワイヤ用の前記２つの接触パッドが、前記センサワイヤ用の前記２つの接触パッドおよび前記識別用の２つの接触パッドより長い、請求項４に記載の回路コネクタ。
【請求項６】
前記６つの均一に間隔を空けて配された接触パッドが全て同じ長さを有する、請求項２〜４のいずれか一項に記載の回路コネクタ。
【請求項７】
前記電気端子が、全て均一に間隔を空けて配されているわけではない６つの接触パッドを含む、請求項２に記載の回路コネクタ。
【請求項８】
前記６つの接触パッドが、センサワイヤ用の２つの接触パッドと、識別用の２つの接触パッドと、ヒーターワイヤ用の２つの接触パッドとを含む、請求項７に記載の回路コネクタ。
【請求項９】
前記ヒーターワイヤ用の前記２つの接触パッドが、前記センサワイヤ用の前記２つの接触パッドおよび前記識別用の２つの接触パッドより長い、請求項８に記載の回路コネクタ。
【請求項１０】
前記ヒーターワイヤ用の前記２つの接触パッドが互いに隣接している、請求項９に記載の回路コネクタ。
【請求項１１】
前記センサワイヤ用の前記２つの接触パッドおよび前記識別用の２つの接触パッドが均一に間隔を空けて配され、前記ヒーターワイヤ用の前記２つの接触パッドが、前記センサワイヤ用の前記２つの接触パッド間と同じ間隔で互いから間隔を空けて配されるが、前記ヒーターワイヤ用の前記２つの接触パッドが、前記センサワイヤ用の前記２つの接触パッドおよび識別用の前記２つの接触パッドのうち最も近いものから、前記ヒーターワイヤ用の前記２つの接触パッドを互いから分離する距離より大きい距離だけ間隔を空けて配される、請求項８に記載の回路コネクタ。
【請求項１２】
前記ヒーターワイヤ用の前記２つの接触パッドが、前記センサワイヤ用の前記２つの接触パッドおよび前記識別用の２つの接触パッドより長い、請求項１１に記載の回路コネクタ。
【請求項１３】
前記接触パッドが回路基板上に形成され、前記プリント回路基板が外側支持体表面により支持される、請求項２に記載の回路コネクタ。
【請求項１４】
前記外側支持体表面が基端部でよりも先端部で広い、請求項１３に記載の回路コネクタ。
【請求項１５】
前記加湿チャンバの前記出口に対して前記回路コネクタを方向づけるように、および／または、前記ベースユニットと関連する前記電気端子に対して前記回路コネクタの前記電気端子を方向づけるように構成された配向器を含む、請求項１に記載の回路コネクタ。
【請求項１６】
前記回路コネクタが所定の向きでのみ前記加湿チャンバの前記出口上へ摺動され得るように、前記配向器が、前記加湿チャンバの前記出口の突起部に摺動可能に係合するように構成された凹部を含む、請求項１５に記載の回路コネクタ。
【請求項１７】
前記回路コネクタが所定の向きでのみ前記加湿チャンバの前記出口上へ摺動され得るように、前記配向器が、前記加湿チャンバの前記出口における凹部に摺動可能に係合するように構成された突起部を含む、請求項１５または１６に記載の回路コネクタ。
【請求項１８】
前記加湿チャンバの前記出口が、前記加湿チャンバから実質的に垂直に延在する第１部分と前記第１部分から実質的に水平に延在する第２部分とを含み、使用中前記第２部分が前記第１部分の下流にあり、前記回路コネクタの前記入口が前記回路コネクタの前記第２部分への流体接続を提供するように構成され、前記回路コネクタが、前記第１部分を収容するカットアウトを含み、前記カットアウトが、前記カットアウト内に受け入れられた前記第１部分を収容するよう正しく方向づけられていない場合、前記回路コネクタの前記加湿チャンバの前記出口への係合を阻止または制限する、請求項１〜１７のいずれか一項に記載の回路コネクタ。
【請求項１９】
前記カットアウトが、開口部が相対的に広く、終端部が相対的に狭くなるよう輪郭形成され、それにより最初の係合の際に前記回路コネクタの前記向きに関する公差を提供し、前記回路コネクタが前記加湿チャンバの前記出口に向かって押されるときに引き続きの係合の際に前記向きを修正する、請求項１８に記載の回路コネクタ。
【請求項２０】
前記回路コネクタの前記電気端子が、
使用中プリント回路基板の１つまたは複数のトラックと接触するように構成された１つまたは複数のピンであって、前記ベースユニットと関連する前記電気端子が前記プリント回路基板を含む、１つまたは複数のピン、または
使用中１つまたは複数のピンと接触するように構成された１つまたは複数のトラックを含むプリント回路基板であって、前記ベースユニットと関連する前記電気端子が前記１つまたは複数のピンを含む、プリント回路基板
を含む、請求項１〜１９のいずれか一項に記載の回路コネクタ。
【請求項２１】
前記回路コネクタの前記電気端子が、
使用中エッジカードレセプタクル内に受け入れられるように構成されたエッジカードであって、前記ベースユニットと関連する前記電気端子が前記エッジカードレセプタクルを含むエッジカード、または
使用中エッジカードを受け入れるように構成されたエッジカードレセプタクルであって、前記ベースユニットと関連する前記電気端子が前記エッジカードを含む、エッジカードレセプタクル
を含む、請求項１、１５〜１９のいずれか一項に記載の回路コネクタ。
【請求項２２】
前記回路コネクタの前記電気端子が１つまたは複数のヒーターワイヤおよび／または１つまたは複数のセンサワイヤへ電気的に接続され、前記導管が前記１つまたは複数のヒーターワイヤおよび／または前記１つまたは複数のセンサワイヤを含む、請求項１〜２１のいずれか一項に記載の回路コネクタ。
【請求項２３】
前記加湿チャンバの前記出口の壁上のラッチにより係合されるように構成された凹部または突起部を含み、それにより前記回路コネクタの前記加湿チャンバの前記出口への前記取り外し可能かつ係止可能な接続を提供する、請求項１〜２２のいずれか一項に記載の回路コネクタ。
【請求項２４】
前記加湿チャンバの前記出口の壁の凹部または突起部に係合するように構成されたラッチを含み、それにより前記回路コネクタの前記加湿チャンバの前記出口への前記取り外し可能かつ係止可能な接続を提供する、請求項１〜２３のいずれか一項に記載の回路コネクタ。
【請求項２５】
前記回路コネクタの前記加湿チャンバの前記出口からの除去を可能にするために前記ラッチを前記凹部または突起部から係合解除するように構成されたアクティベータを含む、請求項２３または２４に記載の回路コネクタ。
【請求項２６】
前記アクティベータが少なくとも１つの手動で押下可能なボタンまたはスイッチを含む、請求項２５に記載の回路コネクタ。
【請求項２７】
前記回路コネクタの少なくとも一部が前記加湿チャンバの前記出口の内側に受け入れ可能である、請求項１〜２６のいずれか一項に記載の回路コネクタ。